(57)【特許請求の範囲】
【請求項１】
通信回線を通じて入力される識別符号を受信する受信手段と、
予め設定されるパスワードを記憶するパスワード記憶手段と、
通信回線の接続方法を設定する接続設定手段とを備えた通信装置において、
前記パスワード記憶手段は、複数のパスワードを記憶し、
通信装置の位置を検出する位置検出手段と、
前記位置検出手段が検出する位置情報に基づいて、前記パスワード記憶手段に記憶される複数のパスワードの内から、少なくとも１つを有効化するパスワード有効化手段とを備え、
前記接続設定手段は、前記パスワード有効化手段が有効化するパスワードと前記受信手段が受信する識別符号とに基づいて、前記通信回線の接続方法を設定し、
前記パスワード有効化手段は、前記位置検出手段が検出する位置情報と前記パスワードとの対応関係を記憶する対応関係記憶手段と、前記位置検出手段が検出する位置情報と対応関係記憶手段に記憶される情報とを比較する対応関係比較手段とを備え、
前記対応関係比較手段の比較結果に応じて、前記対応関係記憶手段に記憶される情報を修正する対応関係修正手段と
を備えることを特徴とする通信装置。
【請求項２】
月日、曜日、時間などを検出する日時検出手段を備え、
前記パスワード有効化手段は、前記日時検出手段が検出する時間情報に基づいて、前記パスワードの有効化を行うことを特徴とする請求項１記載の通信装置。
【請求項３】
通信装置の利用者のスケジュールを記憶するスケジュール記憶手段を備え、
前記パスワード有効化手段は、前記日時検出手段が検出する時間情報と、前記スケジュール記憶手段に記憶される内容とに基づいて、前記パスワードの有効化を行うことを特徴とする請求項２記載の通信装置。
【請求項４】
前記接続設定手段の設定特性を記憶する設定特性記憶手段と、
前記受信手段で受信する識別符号に対応して、前記設定特性記憶手段に記憶される設定特性を修正する設定特性修正手段とを備えたことを特徴とする請求項１から３のいずれかに記載の通信装置。
【請求項５】
複数のメッセージを記憶するメッセージ記憶手段と、
前記メッセージ記憶手段に記憶されるメッセージを選択するメッセージ選択手段と、
前記メッセージ選択手段で選択したメッセージを送信するメッセージ送信手段とを備え、
前記メッセージ選択手段は、前記接続設定手段の動作に基づいて、メッセージの選択を行うことを特徴とする請求項１から４のいずれかに記載の通信装置。
【発明の詳細な説明】
【０００１】
【発明の属する技術分野】
本発明は、電話等の通信装置に関し、さらに詳細には識別符号の設定に応じ、回線の接続方法を切り替えることのできる通信装置に関する。
【０００２】
【従来の技術】
Personal Handy-phone Ｓystem（以下ＰＨＳという）や携帯電話の普及により、利用者はいつでも、どこでも、誰とでも通信が可能となってきた。このようなＰＨＳの概要について、説明を行う。まず、図１４を参照して構成について説明する。
【０００３】
市内交換機２には加入者線を介して、多数の公衆電話１２や一般電話１４が接続されている。ＰＨＳ用接続装置１０も同様に加入者線を介して、市内交換機２に接続されている。ＰＨＳ用接続装置１０には複数の基地局１６が接続されている。基地局１６は無線通信を介して複数のＰＨＳ端末１８と通信が可能である。市内交換機２は、市外交換機４,５を介し、他の市内交換機３と接続している。ＰＨＳサービス制御局６は共通線信号網により、多数の市内交換機２、３と接続している。他の市内交換機３にも一般加入電話１３が接続されている。
【０００４】
基地局１６内には、ＰＨＳ用接続装置１０との通信を行う送受信部２０と、各種の制御を行うＣＰＵ２２と、無線通信を行うために信号の変換を行うＴＤＭＡ／ＴＤＤ処理部２４と、無線送信及び受信を行うためのアンテナ部２６と、記憶装置２８とが設けられている。送受信部２０はＰＨＳ用接続装置１０と接続されている。アンテナ部２６は、ＴＤＭＡ／ＴＤＤ処理部２４に接続されている。送受信部２０と、ＣＰＵ２２と、ＴＤＭＡ／ＴＤＤ処理部２４と、記憶装置２８とはバスを介して接続されている。ＣＰＵ２２は、記憶装置２８の図示しない領域に記憶されているプログラムに従って各種の動作制御を行い、送受信部２０やアンテナ部２６から送受信する信号の解析や生成を行う。
【０００５】
ＰＨＳ端末１８の内部には、基地局１６から送信される信号を受信したり、信号の無線送信を行うアンテナ部３０と、無線通信する信号の変換を行うＴＤＭＡ／ＴＤＤ処理部３２と、各種データを記憶する記憶装置３４と、各種の制御を行うＣＰＵ３６と、信号を音声に変換するスピーカ３８と、音声を信号に変換するマイク４０と、ユーザがデータを入力するためのキーボード４２とが設けられている。記憶装置３４の内部には、無線通信の秘話性能を保持するために用いられる暗号キー５０が記憶されている。
【０００６】
アンテナ部３０は、ＴＤＭＡ／ＴＤＤ処理部３２と接続されている。ＴＤＭＡ／ＴＤＤ処理部３２と、記憶装置３４と、ＣＰＵ３６と、スピーカ３８と、マイク４０と、キーボード４２はバスを介して接続されている。ＣＰＵ３６は、記憶装置３４内の図示しない領域に記憶されるプログラムに従って、各種の動作制御を行う。
【０００７】
続いて、図１５を参照して、ＰＨＳの無線通信方法について説明する。これは、基地局１６のＴＤＭＡ／ＴＤＤ処理部２４及び、ＰＨＳ端末１８のＴＤＭＡ／ＴＤＤ処理部３２における信号の変換方法を説明するものでもある。
【０００８】
図１５に示す様に、１サイクル（以下フレームと呼ぶ）５msを８個のブロック（以下スロットと呼ぶ）に時分割する。この内、＃１Tから＃４Tで示す４つのスロットを基地局１６からＰＨＳ端末１８への送信（下りと呼ぶ）に割り当て、＃１Rから＃４Rで示す４つのスロットをＰＨＳ端末１８から基地局１６への送信（上りと呼ぶ）に割り当てる。さらに、＃１T、＃１Rで示すスロットを制御チャンネルと呼び、他のスロットを通信チャンネルとする。ＰＨＳは相互通信を行うため、通信には上り下りに各１チャンネル必要である。すなわち、上記構成の通信方法では、１つの基地局１６について３つの通信チャンネルを確保できることになる。
【０００９】
各スロットは、図１６に示す様に、２４０ビットで構成されるデータ（ビット）列を出力するように定められている。尚、種々の状態に応じて、どのビットがどのような意味を示すものであるかについても別に定められている。
【００１０】
このような、アクセス方式及び伝送方式のことを、ＴＤＭＡ（Time DivisionMultiple Access）方式、ＴＤＤ（Time Division Duplex）方式と呼ぶ。音声信号等を上記仕様の信号に変換したり、上記仕様の信号を音声信号に変換する機構が、ＴＤＭＡ／ＴＤＤ処理部に該当する。
【００１１】
続いて、図１７を参照して、一般加入電話１３からＰＨＳ端末１８へ通話を行う具体的な手順について説明する。
【００１２】
一般加入電話１３から所望のＰＨＳ端末１８の電話番号をダイヤルする（Ｓ１２０）。市内交換機３はこの電話番号を受け取り、ＰＨＳ端末の電話番号であることを認識する。すると、市内交換機３はＰＨＳサービス制御局６にこの電話番号のＰＨＳ端末１８の位置情報を問い合わせる（Ｓ１２１）。ＰＨＳサービス制御局６は、市内交換機３より送られる電話番号に基づいて、ＰＨＳ端末１８の位置情報を検索し、この位置情報を市内交換機３に送信する（Ｓ１２２）。市内交換機３は、この位置情報に基づいて、ＰＨＳ端末１８が無線通信可能な基地局１６が接続されているＰＨＳ用接続装置１０まで通信回線を接続する（Ｓ１２３）。ＰＨＳ用接続装置１０は、ＰＨＳ端末１８が無線通信可能な基地局１６に対して発呼を指示する（Ｓ１２４）。基地局１６は、前述の制御チャンネル（＃１T）を利用して、ＰＨＳ端末１８に対して発呼を行う（Ｓ１２５）。ここで、ＰＨＳ端末１８が応答すると、通話を開始し、課金処理が行われることになる（Ｓ１２６）。
【００１３】
このようなＰＨＳ端末は小型・軽量であり、かつ無線通信を行うものであるため、無線通信が可能な範囲であるならば、どこへでも持ち運びができるようになった。それゆえ、どこでも、いつでも、だれとでも電話連絡を取り合えるようになり、情報交換が飛躍的に向上してきた。
【００１４】
続いて、手順Ｓ１２２で利用するＰＨＳ端末の位置情報の設定方法について、図１８を参照して説明する。
【００１５】
基地局１６は、制御チャンネルを利用して基地局毎に割り当てられた識別番号を、定期的に発信する（Ｓ１３０）。基地局１６と通信可能なＰＨＳ端末１８は、これを受信する（Ｓ１３１）。そして、記憶装置３４の図示しない領域に記憶している基地局の識別番号と同じであるか比較する（Ｓ１３２）。ここで、同じ番号である場合（Ｙｅｓ）、ＰＨＳ端末は移動していないので、なにもせず終了する。番号が異なる場合（Ｎｏ）、ＰＨＳ端末１８は移動したので、ＰＨＳ端末１８は制御チャンネルを利用して位置登録要求信号を送信する（Ｓ１３３）。この位置登録信号には、ＰＨＳ端末１８の識別信号も含まれている。また、位置登録要求信号を基地局１６が受け取ると、基地局１６はＰＨＳ端末に対して通信チャンネルを１つ与える。以後の通信は、通信チャンネルを利用して行われる。
【００１６】
基地局１６は、ＰＨＳ用接続装置１０を介して、ＰＨＳサービス制御局６へ位置登録信号を送信する（Ｓ１３４）。この位置登録信号には、ＰＨＳ端末１８の識別信号と基地局１６の識別番号が含まれている。ＰＨＳサービス制御局６は、この位置登録信号に基づいて、図示しない記憶装置に記憶される位置情報を修正する（Ｓ１３５）。ＰＨＳサービス制御局６は、修正が終了すると登録完了を示す信号を送信する（Ｓ１３６）。基地局１６は、この登録完了を示す信号を送信する。ＰＨＳ端末１８がこの登録完了を示す信号を受け取ると、記憶装置３４の図示しない領域に記憶している基地局の識別番号を基地局１６の識別番号に書き換える（Ｓ１３７）。そして、通信チャンネルを解放して、処理を終了する。
【００１７】
このような動作を行うことにより、ＰＨＳ端末がいる位置をＰＨＳサービス制御局６が瞬時に把握することができる。この機構により、どこでも、いつでも、だれとでも、電話連絡が可能となる。
【００１８】
ところが、どこでも、いつでも、だれとでも、電話連絡が可能であるが故に、例えば顧客との面談中であるとか、急用で手が離せない状況でも電話がかかってくることがある。これは利用者本人にとっても迷惑であるばかりか、着信を知らせるベルが応答するまで鳴り続けるため、周辺の他の人にも迷惑を及ぼすことになる。また、昨今社会問題にもなっているが、いたずら電話等が後を断たず、これへの対応も必要であった。
【００１９】
このような状況に対応するため、従来より提案されている方法の一つに特開平０２ー１２１５５５号明細書に記述されたような方法がある。この方法について図１９、２０を参照して概略を説明する。
【００２０】
まず、図１９を参照して従来装置の構成について説明する。電話装置１００は一般電話回線に接続されている電話機である。電話装置１００内部には、電話回線に接続するインターフェース１０２と、各種の制御を行うＣＰＵ１０４と、音声を信号に変換するマイク１０６と、信号を音声に変換するスピーカ１０８と、電話回線を通じて送信される発呼側のメッセージを記録する録音装置１１０と、記憶装置１１２とが構成されている。これらはバス１１４を介して接続されている。記憶装置１１２内部には、識別番号記憶部１２０とメッセージ記憶部１２２とが構成されている。
【００２１】
ＣＰＵ１０４は、記憶装置１１２の図示しない領域に記憶されるプログラムに従って動作し、種々の制御を行うことができる。例えば、電話回線を介して送られる信号をスピーカ１０８を介して音声として出力したり、マイク１０６を介して信号に変換された音声を電話回線に送信したりする。また、記憶装置１１２に記憶されたデータを処理することもできる。
【００２２】
続いて、図２０を参照して従来装置の具体的な動作について説明する。
【００２３】
電話装置１００のＣＰＵ１０４は着信があることを識別すると、記憶装置１１２内のメッセージ記憶部１２２に記憶されているメッセージを呼びだし、これを電話回線に送信する。尚、このメッセージにはパスワードの入力を要求する内容が含まれている。発呼側はこのメッセージを受信すると、メッセージの内容にしたがってパスワードの入力を行うことになる。ＣＰＵ１０４は、発呼側が入力するパスワードを受信する（Ｓ１０１）。ＣＰＵ１０４は、Ｓ１０１で入力されるパスワードと識別番号記憶部１２０に記憶される識別番号とを比較し、適切なパスワードが入力されたか否かを判定する（Ｓ１０２）。具体的には、入力されるパスワードと識別番号が一致するか否かを判定し、一致すれば適切なパスワードの入力があったと判定し、一部でも異なっていれば適切なパスワードではないと判定することになる。
【００２４】
ここで、入力されたパスワードが適切ではないと判断されると（No）、ＣＰＵ１０４は、メッセージ記憶部１２２に記憶される第二のメッセージを呼びだし、これを電話回線に送信する（Ｓ１０３）。この第二のメッセージには、本人は電話での応答ができないが発信者のメッセージを録音することはできるので、メッセージの入力を求める内容が含まれている。発呼側がメッセージの入力を行うと、ＣＰＵ１０４はこのメッセージを録音装置１１０に記録保存する（Ｓ１０４）。そして、回線が切断されたか否かを判定し（Ｓ１０５）、回線が切断されると（YEＳ）一連の処理を終了する。Ｓ１０５で回線が切断されていないときは、Ｓ１０４の手順に戻り録音を継続することになる。
【００２５】
また、Ｓ１０２でパスワードが適切であると判断されると（YEＳ）、ＣＰＵ１０４は電話装置１００内の図示しない領域に構成されたベルを鳴らす。これにより、電話装置１００の利用者に対し、着信があったことを知らせる（Ｓ１０６）。ＣＰＵ１０４は、ベルを鳴らす回数をカウントし、予め設定した回数ベルを鳴らしたか否かを判定する（Ｓ１０７）。ここで、所定回数鳴らしていないときは（No）、受信者が電話に応答したか否かを判断する（Ｓ１０８）。電話に応対した場合（YEＳ）には、通常の通話処理を行う（Ｓ１０９）。そして、回線が切断されたか否かを判断し（Ｓ１１０）、切断されたら（YEＳ）一連の処理を終了する。Ｓ１０７で、所定回数ベルを鳴らした場合（YEＳ）には、Ｓ１０３の手順に進み、前述のような録音動作を実行する。Ｓ１０８で電話への応答が無い場合（No）には、Ｓ１０６の手順に戻り、再びベルを鳴らす。Ｓ１１０で回線の切断がされていないとき（No）は、Ｓ１０９の通話処理を継続することになる。
【００２６】
このような方法により、着呼側の識別番号（パスワード）を認識している特別な発呼に対しては、着呼側に着信があることを知らせることで通常の通話を保証することができ、それ以外の不特定多数の発呼に対しては例えばメッセージ録音のような動作を行うことで、着呼側との通常の通話を拒否することができる。すなわち、発呼の識別番号を識別することで着呼に対して重要な連絡であるかを判断し、重要な連絡のみを着呼に対しては知らせることができるようになり、前述の問題を解決することができる。
【００２７】
【発明が解決しようとする課題】
ところで、ＰＨＳの様に携帯可能な電話は様々な状況下で使用される。また、このＰＨＳは比較的安価なシステムであるので、ビジネス分野だけではなく、一般家庭にも多く進出しており、利用される状況は非常に多岐にわたることになる。
【００２８】
すなわち、状況が変化するのに連れて、重要な情報の意味合いも変化し、連絡を取り合いたい相手も変わってしまう。具体的には、一般の業務中であるならば仕事に関係のある相手との通話は確保しておきたいが、重要な会議の最中には顧客からの連絡だけしか受けられないようにしておきたいとか、家庭に戻ったときには友人からの連絡を優先させたいというように、様々な状況変化によって要望に違いがあることが分かる。
【００２９】
しかしながら、従来の装置ではこのように刻々変わる要望に対して、適切にかつ容易に対応がとれるものは存在しなかった。
【００３０】
また、使用している状況が変わる毎に着呼側の識別番号（パスワード）を設定し直すことにより、それぞれの状況に応じた通信相手との通話を確保することが可能となる。例えば、仕事関係の通信相手にはAという識別番号を知らせておき、プライベートな通信相手にはBという識別番号を知らせておく。着呼側の通信装置の識別番号を、仕事中はAという識別番号に設定し、仕事が終わった時にBという識別番号に設定し直すことで、所望の通信相手との通話が確保できることが分かる。
【００３１】
しかしながら、識別番号の入力は利用者が手で入力し直すため、入力ミスということが起こりかねず、所望の設定が行えない危険がある。また、設定をし直すという行為自体を忘れてしまうことすらある。すなわち、上記の方法では利用者の所望の動作の実行を確実に保証できるものではなかった。また、操作が繁雑で好ましくなかった。
【００３２】
本発明は、上述した問題点を解決するためになされたものであり、簡易な操作によって、通話を優先したい相手と選択的に通信できるような通信装置を提供することを目的とする。また、このような動作を確実に実行できる通信装置の提供も目的とする。
【００３３】
【課題を解決するための手段】
この目的を達成するために、請求項１記載の通信装置は、通信回線を通じて入力される識別符号を受信する受信手段と、予め設定されるパスワードを記憶するパスワード記憶手段と、通信回線の接続方法を設定する接続設定手段とを備えるものであって、パスワード記憶手段は複数のパスワードを記憶し、通信装置の位置を検出する位置検出手段と、前記位置検出手段が検出する位置情報に基づいて、前記パスワード記憶手段に記憶される複数のパスワードの内から、少なくとも１つを有効化するパスワード有効化手段とを備え、前記接続設定手段は、前記パスワード有効化手段が有効化するパスワードと前記受信手段が受信する識別符号とに基づいて、前記通信回線の接続方法を設定し、前記パスワード有効化手段は、前記位置検出手段が検出する位置情報と前記パスワードとの対応関係を記憶する対応関係記憶手段と、前記位置検出手段が検出する位置情報と対応関係記憶手段に記憶される情報とを比較する対応関係比較手段とを備え、前記対応関係比較手段の比較結果に応じて、前記対応関係記憶手段に記憶される情報を修正する対応関係修正手段とを備えるものである。
【００３４】
このような通信装置は、複数のパスワードの中からパスワード有効化手段により有効とするパスワードを選ぶことができるので、容易な操作でもって、通信装置のパスワードを選択できる。さらに、ここで、選択されたパスワードと、受信した識別符号とを比較して通信回線の接続方法を設定するものであるので、パスワード有効化手段で有効にしたパスワードに応じた接続方法となる。すなわち、容易な操作でもって、通信回線の接続方法を設定することができるので、通信装置の使用状況に応じた、通信回線の接続方法とすることができる。
【００３５】
【００３６】
また、通信装置の位置情報を利用することによって、通信装置の使用状況を判断することができる。すなわち、会社の近傍の位置情報であるのならば業務に利用中であるとか、自宅近傍の位置情報ならばプライベートな用途に利用中であると判断できる。このような判断に基づいて所望のパスワードを有効化し、そして通信回線の接続方法を設定するので、利用者に繁雑な操作を要求すること無く、所望の通信回線の接続方法を設定できるようになる。
【００３７】
【００３８】
更に、対応関係記憶手段に位置情報とパスワードとの関係を記憶し、位置検出手段が検出する位置情報と対応関係記憶手段に記憶される情報を対応関係比較手段で比較することにより、所望のパスワードを有効化することができる。さらに、対応関係修正手段により、対応関係記憶手段に記憶される情報を修正することができるので、利用者所望の関係とすることができる。
【００３９】
また、この対応関係修正手段は対応関係比較手段の比較結果に基づいて修正を行うことができる。すなわち、新規に訪れた場所のように、未だ位置情報とパスワードの対応関係を設定していない場所と認識したときに、この対応関係を新しく設定することなどが行える。そのため、利用者はこの通信装置を利用しながら、位置情報とパスワードの関係をきずきあげることができるので、対応関係の設定の煩わしさを感じることが少なくなる。
【００４０】
また、請求項２記載の通信装置は、請求項１記載の通信装置の構成に対して、現在の月日、曜日、時間などを検出する日時検出手段を備え、パスワード有効化手段は日時検出手段が検出する時間情報に基づいて、パスワードの有効化を行うものである。
【００４１】
このような通信装置は、時間情報を利用することによって、通信装置の使用状況を判断することができる。すなわち、土日曜日ならばプライベートな用途に利用中であるとか、平日の午前８時から午後５時までは業務に利用中であると判断できる。このような判断に基づいて有効化したパスワードを用いて、通信回線の接続方法を設定するので、利用者に繁雑な操作を要求すること無く、所望の通信回線の接続方法を設定できるようになる。
【００４２】
また、請求項３記載の通信装置は、請求項２記載の通信装置の構成に対して、通信装置の利用者のスケジュールを記憶するスケジュール記憶手段を備え、パスワード有効化手段は、日時検出手段が検出する時間情報とスケジュール記憶手段に記憶されるスケジュール内容とに基づいて、パスワードの有効化を行うものである。
【００４３】
利用者が設定するスケジュール項目に基づいて、通信回線の接続方法を設定することができるため、利用者に新たな繁雑な操作を要求すること無く、利用者の様々な変化に対応した通信回線の接続方法を設定することができる。
【００４４】
また、請求項４記載の通信装置は、請求項１から３のいずれかに記載の通信装置の構成に対して、接続設定手段の設定特性を記憶する設定特性記憶手段と、受信手段で受信する識別符号に基づいて、設定特性記憶手段に記憶される設定特性を修正する設定特性修正手段とを備えるものである。
【００４５】
このような通信装置は、通信回路の接続方法を定める設定特性を設定特性記憶手段に記憶しているので、この設定特性記憶手段の記憶内容を修正することで、利用者所望の設定方法とすることができる。さらに、この修正を行う設定特性修正手段は、受信手段が受信する識別符号に基づいて修正を行うことができる。すなわち、このような通信装置に送信する送信者の所望の識別符号に基づいて、通信装置の通信回路接続方法を設定できるようになる。
【００４６】
例えば、このような識別符号の設定が必要な通信装置が増加すると、その通信機の数だけパスワードが存在することになる。このような通信装置との通信を望む送信者は、そのパスワードの数だけ、記憶している必要がある。記憶する情報が多くなるということは、送信者にとって非常に困難なことでもある。
【００４７】
上記通信装置は、受信手段が受信する識別信号に基づいて、通信回路の接続特性を修正できるので、送信者の所望の識別信号の利用を受け付けることができる。このような通信装置との通信を行う際に、送信者は所望の識別符号を利用することができるようになるため、送信者側に繁雑な設定を必要としなくなり、利用しやすくなる。
【００４８】
また、請求項５記載の通信装置は、請求項１から４のいずれかに記載の通信装置の構成に対して、複数のメッセージを記憶するメッセージ記憶手段と、メッセージ記憶手段に記憶されるメッセージを選択するメッセージ選択手段と、メッセージ選択手段で選択したメッセージを送信するメッセージ送信手段とを備えており、メッセージ選択手段は、接続設定手段に基づいて選択を行うものである。
【００４９】
このような通信装置は、種々の通信回路の接続に応じて、適切なメッセージを選択し、これを送信することができるため、このような通信装置に送信してきた送信者に対し、この通信装置がどのような状態になっているのかを容易に知らせることができる。すなわち、送信者側にとって利用しやすい通信装置とすることができる。
【００５０】
【発明の実施の形態】
以下、本発明の実施の形態について図面を参照して説明する。まず、図１を参照して本発明の第一の実施の形態例の構成について説明する。尚、従来技術で説明した図１４と同一の構成要素については、同一番号を付することでその具体的な説明は省略する。
【００５１】
ＰＨＳ端末１８の内部には、基地局１６から送信される信号を受信したり、信号の無線送信を行うアンテナ部３０と、無線通信する信号の変換を行うＴＤＭＡ／ＴＤＤ処理部３２と、各種データを記憶する記憶装置３４と、各種の制御を行うＣＰＵ３６と、信号を音声に変換するスピーカ３８と、音声を信号に変換するマイク４０と、ユーザがデータを入力するためのキーボード４２と、ＰＨＳ端末１８の制御モード（後述の選択モードＡ〜Ｃを含む）を設定するためのモードキー４４と、音声信号を録音する録音装置４６とが構成されている。記憶装置３４の内部には、無線通信の秘話性能を保持するために用いられる暗号キー５０と、パスワード記憶手段としてのパスワード記憶部５２と、メッセージ記憶手段としてのメッセージ記憶部５４と、対応関係記憶手段としての位置識別記憶部５６とが構成されている。
【００５２】
アンテナ部３０は、ＴＤＭＡ／ＴＤＤ処理部３２と接続されている。ＴＤＭＡ／ＴＤＤ処理部３２と、記憶装置３４と、ＣＰＵ３６と、スピーカ３８と、マイク４０と、キーボード４２と、モードキー４４と、録音装置４６はバスを介して接続されている。ＣＰＵ３６は記憶装置３４内に記憶された図示しないプログラムに従って、各種の動作制御をおこなうことができる。
【００５３】
続いて、図２を参照して本発明の第一の実施の形態例における動作について説明する。
【００５４】
ＰＨＳ端末１８に着信があると、ＣＰＵ３６は自機（ＰＨＳ端末１８）の位置を、従来例でも示したように、基地局を識別することによって認識する（Ｓ１）。尚、この動作は、従来例の図１８の手順Ｓ１３７で行った、記憶装置３４内の図示しない領域に記憶される基地局の識別番号を参照することで行ってもよい。尚、この手順が位置検出手段に該当する。また、この基地局の識別番号が本発明の位置情報に該当する。
【００５５】
続いて、ＣＰＵ３６は、Ｓ１で求めた位置情報に基づいてパスワードを選択する（Ｓ２）。この手順は、以下の様な動作を行う。位置識別記憶部５６は、図３に示す様な構成となっており、複数の選択モードＡ〜Ｃそれぞれに対し、いくつかの識別番号が対応付けられている。すなわち、ＣＰＵ３６は、Ｓ１で認識した識別番号と同じ番号となる識別番号が含まれる選択モードを読み取る。図３の例に従えば、例えば１２３４５６という識別番号をＳ１で認識すると、ＣＰＵ３６は選択モードＡと認識し、９８７６５４という識別番号をＳ１で認識すると、ＣＰＵ３６は選択モードＣと認識する。さらに、位置識別記憶部５６に記憶された識別信号に該当するものが無い場合には、後述する修正モードに入る。
【００５６】
尚、図３のＡに記憶される各識別番号は、例えば利用者の勤務先の本社の近傍に設置される基地局の識別番号となっており、同様に、Ｂに記憶される各識別番号は本社以外の会社施設の近傍に設置される基地局の識別番号が、Ｃに記憶される各識別番号は自宅の近傍に設置される基地局の識別番号がそれぞれ記憶されている。すなわち、それぞれの選択モードに対応する領域に記憶される識別番号は、位置に応じたなんらかの情報を共有する組となっている。
【００５７】
ＣＰＵ３６はここで、認識した選択モードに基づいて、パスワード記憶部５２からいくつかのパスワードを選択する。パスワード記憶部５２は、図４に示す様な構成となっており、選択モードＡ〜Cそれぞれに対し、いくつかのパスワードが対応付けられている。すなわち、選択モードＡが選択されていると、パスワードＩとして４５６７が、パスワードIIとして４５６＊が選択される。他のモードのときには図４に示したようなパスワードがそれぞれ選択されることになる。ここで、＊は０から９までのいずれのあたいでも良いことを示す記号である。また、allは全ての数値をパスワードとして認めることを示す記号である。
【００５８】
このような動作を手順Ｓ２で行うことにより、パスワードＩ及びパスワードIIを選択することができる。このような動作がパスワード選択手段に該当する。
【００５９】
図１に戻り、手順Ｓ２以降の動作の説明を続ける。
【００６０】
ＣＰＵ３６は、メッセージ記憶部５４の図示しない領域に記憶されるメッセージを呼びだし、これを送信する（Ｓ３）。このメッセージの中には、発呼側に識別番号の入力を促す内容が含まれている。このメッセージに応じて発呼側が識別番号の入力を行うと、ＣＰＵ３６は、これを受け取り、記憶装置３４の図示しない領域に記憶する（Ｓ４）。尚、この動作が受信手段に該当する。
【００６１】
ＣＰＵ３６は、手順Ｓ２で選択したパスワードＩとパスワードII、及び手順Ｓ４で受信した識別番号に基づいて、通信回線の接続方法を設定する。すなわち、識別番号がパスワードＩに該当するならば接続モードＩとし、識別番号がパスワードＩに該当しないがパスワードIIに該当する場合は接続モードIIとし、それ以外は接続モードIIIとする（Ｓ５）。この動作が接続設定手段に該当する。
【００６２】
各接続モードはそれぞれ以下の様な通信回路の接続方法である。
【００６３】
Ｓ５で、接続モードIIIと判定されると（モードIII）、ＣＰＵ３６は、メッセージ記憶部５４に記憶されるメッセージIIIを選択する。メッセージ記憶部５４は図５に示す様な構成となっており、選択モードとメッセージを対応付けて記憶するものである。接続設定手段に該当するＳ５で選択した選択モードに対応するメッセージが選択されることになる（Ｓ６）。尚、この動作がメッセージ選択手段の１つに該当する。そして、このメッセージを送信する（Ｓ７）。尚、この動作がメッセージ送信手段の１つに該当する。そして、処理を終了する。
【００６４】
すなわち、接続モードIIIは、「大変恐縮ですが、この電話はお繋ぎできません。」というメッセージの送信終了を待って通信回路を切断する、という通信回線の接続方法である。
【００６５】
Ｓ５で、接続モードIIと判定されると（モードII）、ＣＰＵ３６は、メッセージ記憶部５４に記憶されるメッセージIIを選択する（Ｓ８）。この動作もメッセージ選択手段の１つに該当する。そして、Ｓ８で選択したメッセージを送信する（Ｓ９）。この動作もメッセージ送信手段の１つに該当する。尚、このメッセージは例えば、「ただ今電話に応対できませんので、メッセージの録音をどうぞ。」というように、発呼側にメッセージの録音を促す内容のものである。
【００６６】
そして、ＣＰＵ３６は録音装置４６を制御し、送信される音声信号の録音を行う（Ｓ１０）。ＣＰＵ３６は、回線が切断されたか否かを常に判断する（Ｓ１１）。Ｓ１１で回線が切断されていない場合には（Nｏ）、Ｓ１０に戻り録音を続ける。Ｓ１１で切断したと判断したときは（Ｙｅｓ）、処理を終了する。
【００６７】
すなわち、接続モードIIは、発呼側のメッセージを録音装置で録音するという通信回線の接続方法である。
【００６８】
Ｓ５で、接続モードＩと判定されると（モードＩ）、ＣＰＵ３６は、メッセージ記憶部５４に記憶されるメッセージＩを選択する（Ｓ１２）。この動作もメッセージ選択手段に該当する。そして、Ｓ１２で選択したメッセージを送信する（Ｓ１３）。この動作もメッセージ送信手段に該当する。尚、このメッセージは例えば、「電話を繋ぎますので、このまましばらくお待ちください。」という内容であり、しばらくの間、待機してもらう内容である。
【００６９】
ＣＰＵ３６は、ＰＨＳ端末１８の図示しないベルを鳴らし、ＰＨＳ端末１８の利用者に着信があったことを知らせる（Ｓ１４）。続いて、ベルを鳴らした回数が所定回数に達したか否かを判定する（Ｓ１５）。所定回数に達していない場合には（Ｎｏ）、ＰＨＳ端末１８が応答したか判断する。すなわち、オフフックの状態になったか否かを判定する（Ｓ１６）。ここで、応答した場合には（Ｙｅｓ）、通常の通話処理を開始する（Ｓ１７）。そして、ＣＰＵ３６は、回線が切断したか否かを判定し（Ｓ１８）、切断された場合には（Ｙｅｓ）、処理を終了する。
【００７０】
ここで、手順Ｓ１５で所定回数ベルを鳴らしても応答が無い場合には（Ｙｅｓ）、Ｓ８の手順に移る。すなわち、接続モードIIに移行する。また、手順Ｓ１６で応答が無い場合には（Ｎｏ）、Ｓ１４の手順に戻り引き続き、着呼を知らせるベルを鳴らす。さらに、手順Ｓ１８で回線が切断されていない場合には（Ｎｏ）、Ｓ１７の通話処理を繰り返すことになる。
【００７１】
すなわち、接続モードＩは通常の通話処理を行うことができる通信回線の接続方法である。
【００７２】
また、本発明は選択モードＡ〜Ｃの切り替えが、前述のように自動的に行なわれるものに限定するものではない。例えば、モードキー４４の操作によって、利用者の意図に応じて選択モードを切り換えるものであってもよい。すなわち、モードキー４４には、図示しない領域に選択モードＡ〜Ｃそれぞれに対応するスイッチが設けられている。利用者は、モードキー４４を設定したい選択モードに合わせることにより、いつでも、どこでも所望の選択モードを設定することができる。
【００７３】
以上のような、構成や動作を行うことによって以下の様な効果を期待することができる。まず、例えば、重要な連絡相手には４５６７という識別番号を知らせておき、その他の仕事の関係者には４５６０という識別番号を知らせておくことにする。また、プライベートな相手には７７７７という識別番号を知らせることにする。
【００７４】
通常の業務中においては、モードキー４４の操作により、選択モードがＢになるようにしておくと、４５６７、４５６０といういずれかの識別番号を認識している仕事の関係者との通話を確保し、他の通信相手はメッセージを録音させることができる。また、来客中のように電話を受け付けたくないときは、選択モードをＡになるようにすると、仕事の関係者の中でも４５６７という重要な識別番号を知っている人との通話のみを確保し、他の仕事関係者の通話はメッセージの録音にすることができる。
【００７５】
また、仕事が終了した場合は、選択モードをＣになるようにすることにより、プライベート中はプライベートな連絡相手との通話を確保し、他はメッセージの録音にすることができる。
【００７６】
このように、ＰＨＳ端末の利用者の状況に応じてパスワードを選択するので、利用者の立場に沿った電話連絡をとれるようになる。
【００７７】
また、このパスワードの選択は、前述の実施の形態の手順Ｓ１及びＳ２で示したように、基地局の位置情報に基づいて行うこともできる。すなわち、会社近傍にある基地局の識別番号を認識している場合には、選択モードＢとなるようにする。さらに、本社近傍にある基地局の識別番号を認識している場合には、選択モードＡとなり、自宅近傍の基地局の識別番号を認識している場合には、選択モードがＣになるようすることができる。このように、ＰＨＳ端末の位置を検出し、この位置情報に基づいてパスワードの選択を行うようにすることにより、利用者自身が、パスワードの選択の切り替えを一々行う必要が無くなる。すなわち、操作が簡易になり、パスワードの切り替えの忘れにより、所望の動作が行えなくなるという不具合を取り除くことができる。
【００７８】
さらに、パスワードを複数設定できるようにすることにより、通常の通話、録音メッセージ、通話の拒否といった様々な対応を使い分けることができる。
【００７９】
上記の様に、様々な通信相手に対して、利用者の状況に応じた、種々の対応（通信回路の接続方法）をとれるようになる。これは、常に受け身でしかなかった着呼側が主体的に発呼側を選択できるようになることを意味する。
【００８０】
続いて、図６を参照して、前述のＳ２の手順で触れた修正モードについて説明する。まず、基地局の識別番号を受信する（Ｓ２０）。これは、図２のＳ１の手順と同様であり、位置検出手段に該当する。ここで、識別された位置情報は例えば７７７７７７という信号であるとする。続いて、前述のように対応関係記憶手段である位置識別記憶部５６に記憶される識別番号と比較する（Ｓ２１）。この動作が対応関係比較手段に該当する。位置識別記憶部５６には図３に示す様な識別番号が記憶されているので、Ｓ２１は該当無しと判断し、以後、前述の修正モードにはいる（Ｎｏ）。まず、ＣＰＵ３６は、図示しないアラームを鳴らし、利用者に対して未登録の位置にいることを知らせる。利用者はキーボード４２を介して、所望の選択モードを設定する。すなわち、プライベートな場所であるなら選択モードCを、仕事に関係ある場所ならば選択モードBを設定することになる（Ｓ２２）。そして、ＣＰＵ３６は、Ｓ２０で受信した基地局の識別番号を、Ｓ２２で選択した選択モードに対応する位置識別記憶部５６の領域に書き込む（Ｓ２３）。例えば、Ｓ２２で選択モードBが設定されると、位置識別記憶部５６は図３から図７の状態に修正されることになる。尚、このＳ２２、Ｓ２３の手順が対応関係修正手段に該当する。
【００８１】
Ｓ２１で該当する識別番号がある場合には（Ｙｅｓ）、Ｓ２２、Ｓ２３の手順は行われない。
【００８２】
このような動作を行うことによって、以下の様な効果がある。ＰＨＳ端末は現在の位置情報を常に識別し、既に選択モードが設定された場所であるか否かを判定する。既に設定されていない場所にくると、自動的に選択モードの設定を求めることができるので、どこにいても常に利用者の所望の選択モードを設定することができる。また、一度設定した場所は、記憶保存されるので、１つの場所に対して一度だけ設定すれば良いので、ユーザの操作もそれほど繁雑になることはない。
【００８３】
また、本発明のＰＨＳ端末を新規に購入した場合など、修正モードが頻繁に発生する時は、以下の様な動作を行ってもよい。例えば、モードキー４４を用いて連続登録モードなるものを設定する。これは、予め選択モードのいずれかを選択する手順が含まれる。連続登録モードになっている場合には、前述のＳ２２における選択モードの設定が省略される。Ｓ２３では、Ｓ２０で受信した識別番号と、前述の連続登録モード設定時に登録した選択モードとに基づいて、位置識別記憶部５６を修正する。
【００８４】
このような動作を行うと、利用者は所望の選択モードを設定したい地域を、歩き回るだけで自然に位置識別記憶部５６の設定を行うことができ、利用者の操作の繁雑性はより軽減することになる。
【００８５】
続いて、本発明の第二の実施の形態例について説明する。まず、図８を参照して構成について説明する。尚、図１と同一の構成については同一の番号を付すことで説明を省略する。
【００８６】
ＰＨＳ端末１８の内部には、文字や記号などを視覚的に表示する表示部６２と、日時検出手段としての時計を含むカレンダー回路６４が含まれている。また、記憶装置３４の内部には、スケジュール記憶手段としてのスケジュール管理記憶部６０と、パスワード記憶手段としてのスケジュール項目対応表５３と、設定特性記憶手段としての接続方法記憶部５５とが構成されている。ＴＤＭＡ／ＴＤＤ処理部３２と、記憶装置３４と、ＣＰＵ３６と、スピーカ３８と、マイク４０と、キーボード４２と、モードキー４４と、録音装置４６と、表示部６２と、カレンダー回路６４はバスを介して接続されている。
【００８７】
続いて、図９を参照して、スケジュール管理記憶部６０について説明する。スケジュール管理記憶部６０は、日付と時間からなる記憶領域に、所定のスケジュール項目を記憶するものである。例えば図９の例では、４月２４日には、午前８時から午後４時までゴルフの予定が組まれていることが分かる。
【００８８】
続いて、図１０を参照してパスワード記憶手段としてのスケジュール項目対応表５３について説明する。スケジュール項目対応表５３には、パスワードとしての接続順位と、種々のスケジュール項目の対応関係が記憶されている。すなわち、経営会議やプレゼンテーションは、接続順位Ｉを示すパスワードが割り当てられ、ゴルフやパーティーには接続順位IIIを示すパスワードが割り当てられていることが分かる。
【００８９】
続いて、図１１を参照して、設定特性記憶手段としての接続方法記憶部５５について説明する。接続方法記憶部５５には、パスワードとしての種々の接続順位と、受信手段が受信する識別番号としての電話番号との対応関係が記憶されている。つまり、パスワードとして設定された接続順位を参照して接続方法記憶部５５の記憶内容を検索し、受信手段が受信する発呼側の電話番号が含まれているか否かにより、通信回線の接続方法を設定することになる。
【００９０】
続いて、図１２を参照して第二の実施の形態の動作について説明する。
【００９１】
ＰＨＳ端末１８に着信があると、ＣＰＵ３６は、カレンダー回路６４の時刻を調べ現在の日時を認識する（Ｓ３０）。これが、日時検出手段に該当する。ＣＰＵ３６は、Ｓ３０で検出した時間情報に基づいてスケジュール管理記憶部６０を検索する。そして、その時刻に該当するスケジュール項目を認識する（Ｓ３１）。例えば、４月２４日の午後１時ならば、ゴルフというスケジュール項目を認識することになる。そして、そのスケジュール項目に基づいてスケジュール項目対応表５３を検索し、パスワードとしての接続順位を設定する（Ｓ３２）。すなわち、この例では接続順位IIIがパスワードとして設定される。尚、この手順がパスワード選択手段に該当する。
【００９２】
続いて、ＣＰＵ３６は発呼側の電話番号を識別する。これは、発呼側に発呼側の電話番号の入力を要求し、その入力を受信することで識別してもよい（Ｓ３３）。尚、この手順は受信手段に該当する。また、発呼側の電話番号は識別符号に該当することになる。そして、パスワードとしての接続順位と識別符号としての発呼側の電話番号を参照して、接続方法記憶部５５を検索する。そして、接続方法の設定を行う（Ｓ３４）。この設定は以下の様な方法で行ってもよい。例えば、接続順位の値が小さい程優先度が高いとする。この時、Ｓ３２で与えられるパスワードとしての接続順位以上の接続順位が、接続方法記憶部５５において与えられている電話番号だけ通話を許可する様にしてもよい。すなわち、接続順位IIIが設定されている場合には、図１１で示す１１個の電話番号からの通話だけ選択的に受信し、他の電話番号からの通話は回線を切断してもよい。具体的な通信回線の接続方法の説明は第一の実施の形態例で説明したので省略する。尚、Ｓ３４が接続設定手段に該当する。
【００９３】
このような、動作を行うことにより、以下のような効果がある。まず、利用者が設定したスケジュールに基づいて、通話する相手先を選択できるので、重要な電話以外を受け取りたくない時には、受け取らないで済むようになる。また、この切り替えをスケジュールに基づいて行うので、利用者の様々に変化する状況に適切にあわせることができる。
【００９４】
また、識別番号として発呼側の電話番号を利用するので、発呼側はどの識別番号を入力すれば良いのか迷わなくても済む。すなわち、発呼側は着呼側のパスワードを意識する必要が無くなる。
【００９５】
続いて、発呼側の識別番号としての電話番号を、ＰＨＳ端末に登録する手順について図１３を参照して説明する。
【００９６】
まず、ＰＨＳ端末１８の利用者は、こちらから電話をかけることにより所望の相手と通話を行う。通話の相手を電話Xと記述する。ＰＨＳ端末１８は所定の操作により、電話Xに対し、識別番号の登録を要求する（Ｓ４０）。電話Xから要求に応じて識別番号が入力される（Ｓ４１）。この手順が受信手段に該当する。その後、ＰＨＳ端末１８のキーボードを利用して、利用者が望む電話Xの接続順位を設定する（Ｓ４２）。Ｓ４１で得た識別番号と、Ｓ４２で入力した接続順位に基づいて、接続方法記憶部５５の記憶内容を修正する（Ｓ４３）。すなわち、接続方法記憶部５５のＳ４２で入力した接続順位に対応する領域に、Ｓ４１で得た識別番号を書き加えることになる。尚、この手順が設定特性修正手段となる。
【００９７】
このような動作を行うことにより、発呼側が望む識別番号を設定できることが分かり、発呼側にとっての操作性が向上する。また、上記手法ではＰＨＳ端末１８の利用者は、発呼側が入力した識別番号に対応する接続順位を設定するだけであり、発呼側の識別番号には操作を加えない。すなわち、ＰＨＳ端末１８の利用者に対しても、発呼側の識別番号の機密が保持できる。
【００９８】
さらに、上記実施の形態例では、識別番号として発呼側の電話番号を例に取り上げて説明したが、これに限定されるものではないことはいうまでもない。また、上記実施形態では電話に具体化したものとして説明したが、通信機能を備えたパーソナルコンピュータや情報携帯端末やＦＡＸや文書処理装置等にも採用することができる。また、通信の伝送路に関しても無線伝送方式の他に有線伝送方式で採用することができる。通信する信号形式に関してもデジタル、アナログ両方に採用できる。特に、無線伝送方式を採用するならば、チャンネル数の増大を見込める点から時分割多重化方式だけでなく符号分割多重化方式、いわゆるスペクトラム拡散方式等を採用することができる。
【００９９】
要するに、通信機能を有する機器一般に採用できる。勿論、携帯型の機器であれば本発明によるメリットは大きい。
【０１００】
【発明の効果】
上記のような構成及び動作により、請求項１記載の通信装置は、複数のパスワードの中からパスワード有効化手段により有効とするパスワードを選ぶことができるので、容易な操作でもって通信装置のパスワードを選択できる。さらにここで、選択されたパスワードと、受信した識別符号とを比較して通信回線の接続方法を設定するものであるので、パスワード有効化手段で有効にしたパスワードに応じた接続方法となる。すなわち、容易な操作でもって通信回線の接続方法を設定することができるので、通信装置の使用状況に応じた通信回線の接続方法とすることができる。
【０１０１】
また、通信装置の位置情報を利用することによって、通信装置の使用状況を判断することができる。すなわち、会社の近傍の位置情報であるのならば業務に利用中であるとか、自宅近傍の位置情報ならばプライベートな用途に利用中であると判断できる。このような判断に基づいて所望のパスワードを有効化し、そして通信回線の接続方法を設定するので、利用者に繁雑な操作を要求すること無く、所望の通信回線の接続方法を設定できるようになる。
【０１０２】
更に、対応関係記憶手段に位置情報とパスワードとの関係を記憶し、位置検出手段が検出する位置情報と対応関係記憶手段に記憶される情報を対応関係比較手段で比較することにより、所望のパスワードを有効化することができる。さらに、対応関係修正手段により、対応関係記憶手段に記憶される情報を修正することができるので、利用者所望の関係とすることができる。
【０１０３】
また、この対応関係修正手段は対応関係比較手段の比較結果に基づいて修正を行うことができる。すなわち、新規に訪れた場所のように、未だ位置情報とパスワードの対応関係を設定していない場所と認識したときに、この対応関係を新しく設定することなどが行える。そのため、利用者はこの通信装置を利用しながら、位置情報とパスワードの関係をきずきあげることができるので、対応関係の設定の煩わしさを感じることが少なくなる。
【０１０４】
また、請求項２記載の通信装置は、日時検出手段にて検出する時間情報によって、通信装置の使用状況を判断することができる。すなわち、土日曜日ならばプライベートな用途に利用中であるとか、平日の午前８時から午後５時までは業務に利用中であると判断できる。このような判断に基づいて有効化したパスワードを用いて、通信回線の接続方法を設定するので、利用者に繁雑な操作を要求すること無く、所望の通信回線の接続方法を設定できるようになる。
【０１０５】
また、請求項３記載の通信装置は、利用者が設定するスケジュール項目に基づいて、通信回線の接続方法を設定することができるため、利用者に新たな繁雑な操作を要求すること無く、利用者の様々な状況の変化に対応した通信回線の接続方法を設定することができる。
【０１０６】
また、請求項４記載の通信装置は、通信回路の接続方法を定める設定特性を設定特性記憶手段に記憶しているので、この設定特性記憶手段の記憶内容を修正することで、利用者所望の設定方法とすることができる。さらに、この修正を行う設定特性修正手段は、受信手段が受信する識別符号に基づいて修正を行うことができる。すなわち、このような通信装置に送信する送信者の所望の識別符号に基づいて、通信装置の通信回路接続方法を設定できるようになる。
【０１０７】
例えば、このような識別符号の設定が必要な通信装置が増加すると、その通信機の数だけパスワードが存在することになる。このような通信装置との通信を望む送信者は、そのパスワードの数だけ、記憶している必要がある。記憶する情報が多くなるということは、送信者にとって非常に困難なことでもある。
【０１０８】
この通信装置は、受信手段が受信する識別信号に基づいて、通信回路の接続特性を修正できるので、送信者の所望の識別信号の利用を受け付けることができる。このような通信装置との通信を行う際に、送信者は所望の識別符号を利用することができるようになるため、送信者側に繁雑な設定を必要としなくなり、利用しやすくなる。
【０１０９】
また、請求項５記載の通信装置は、種々の通信回路の接続に応じて、適切なメッセージを選択し、これを送信することができるため、このような通信装置に送信してきた送信者に対し、この通信装置がどのような状態になっているのかを容易に知らせることができる。すなわち、送信者側にとって利用しやすい通信装置とすることができる。
【図面の簡単な説明】
【図１】本発明の第一の実施の形態例の構成を示すブロック図である。
【図２】本発明の第一の実施の形態例の動作を説明するフローチャート図である。
【図３】本発明の第一の実施の形態例における位置識別記憶部の構成を示す図である。
【図４】本発明の第一の実施の形態例におけるパスワード記憶部の構成を示す図である。
【図５】本発明の第一の実施の形態例におけるメッセージ記憶部の構成を示す図である。
【図６】本発明の第一の実施の形態例における修正モードの動作を説明するフローチャート図である。
【図７】本発明の第一の実施の形態例における修正モードで、修正された位置識別記憶部の構成を示す図である。
【図８】本発明の第二の実施の形態例の構成を示すブロック図である。
【図９】本発明の第二の実施の形態例におけるスケジュール管理記憶部の構成を説明する図である。
【図１０】本発明の第二の実施の形態例におけるスケジュール項目対応表の構成を示す図である。
【図１１】本発明の第二の実施の形態例における接続方法記憶部の構成を示す図である。
【図１２】本発明の第二の実施の形態例の動作を説明するフローチャート図である。
【図１３】本発明の第二の実施の形態例において、発呼側の識別信号を登録する動作を説明するフローチャート図である。
【図１４】従来のＰＨＳの構成を示すブロック図である。
【図１５】ＰＨＳにおける通信方法を説明する図である。
【図１６】ＰＨＳ通信におけるデータ構成を説明する図である。
【図１７】ＰＨＳにおける着信動作を説明するフローチャート図である。
【図１８】ＰＨＳにおける位置登録動作を説明するフローチャート図である。
【図１９】従来の通信装置の構成を示すブロック図である。
【図２０】従来の通信装置の動作を説明するフローチャート図である。
【符号の説明】
１８ ＰＨＳ端末
３４ 記憶装置
３６ ＣＰＵ
４４ モードキー
４６ 録音装置
５２ パスワード記憶部
５３ スケジュール項目対応表
５４ メッセージ記憶部
５５ 接続方法記憶部
５６ 位置識別記憶部
６０ スケジュール管理記憶部
６４ カレンダー回路
【図１】
0003582207.tif 000002
【図２】
0003582207.tif 000003
【図３】
0003582207.tif 000004
【図４】
0003582207.tif 000005
【図５】
0003582207.tif 000006
【図６】
0003582207.tif 000007
【図７】
0003582207.tif 000008
【図８】
0003582207.tif 000009
【図９】
0003582207.tif 000010
【図１０】
0003582207.tif 000011
【図１１】
0003582207.tif 000012
【図１２】
0003582207.tif 000013
【図１３】
0003582207.tif 000014
【図１４】
0003582207.tif 000015
【図１５】
0003582207.tif 000016
【図１６】
0003582207.tif 000017
【図１７】
0003582207.tif 000018
【図１８】
0003582207.tif 000019
【図１９】
0003582207.tif 000020
【図２０】
0003582207.tif 000021